(57)【要約】【課題】  スクリーン上に投写表示される画像をユーザに事前に把握させることができるプロジェクタ装置を提供する。【解決手段】  所定の表示用画像をスクリーン３０上に投写表示するための液晶パネル６に加え、表示用画像を別途表示する液晶モニタ８を設けたことにより、表示用画像の液晶パネル６を通じた投写表示が行われていないときにも、ユーザに表示用画像の内容を把握させる。これにより、例えば、電源が投入されてから光源ランプユニット５がヒートアップされるまでの間にも、ユーザは、投写表示を待つことなく、表示用画像の内容を確認することができ、プレゼンテーションの準備等を効率的に行うことができる。【選択図】  図１
2005221638.tif 000002
【特許請求の範囲】
【請求項１】
光源から出射される光を変調してスクリーン上に所定の表示用画像を投写表示するライトバルブと、
上記ライトバルブを通じた上記表示用画像の投写表示とは別に当該表示用画像を表示する表示手段とを備えたことを特徴とするプロジェクタ装置。
【請求項２】
上記ライトバルブを通じた上記表示用画像の投写表示を禁止する投写禁止手段を有し、
少なくとも上記投写禁止手段による上記表示用画像の投写表示が禁止されている間、上記表示手段は上記表示用画像を表示することを特徴とする請求項１記載のプロジェクタ装置。
【請求項３】
上記投写禁止手段は、電源投入時に、上記ライトバルブを通じた上記表示用画像の投写表示を禁止するよう初期設定されていることを特徴とする請求項２記載のプロジェクタ装置。
【請求項４】
上記投写禁止手段の初期設定を解除する初期設定解除スイッチ手段を有することを特徴とする請求項３記載のプロジェクタ装置。
【発明の詳細な説明】
【技術分野】
【０００１】
本発明は、光源から照射される光をライトバルブで変調してスクリーン上に画像を投写表示するプロジェクタ装置に関する。
【背景技術】
【０００２】
近年、プロジェクタ装置を用いたイベントやプレゼンテーション等が増えている。この種のプレゼンテーション等をスムーズに行うためには、プロジェクタ装置等に係る各種情報をプレゼンテータ等のユーザが十分に把握できることが望ましい。
【０００３】
プロジェクタ装置に係る情報をユーザに把握させるための技術として、例えば、特許文献１には、累積使用時間の計時によって光源ランプの交換予定時間に対する残時間を求め、求めた残時間をプロジェクタ上に設けられた時間表示部等を通じてユーザに知らせるための技術が開示されている。
【特許文献１】特開２００２−２８７２４３号公報
【発明の開示】
【発明が解決しようとする課題】
【０００４】
ところで、プロジェクタ装置を用いたプレゼンテーション等では、プロジェクタ装置にパーソナルコンピュータ等の外部装置が接続されることが一般的であり、プロジェクタ装置は、通常、接続された外部装置等から供給される画像信号に従って、スクリーン上に所定の画像を投写表示する。このような場合、ユーザは、プレゼンテーション等を行う前の準備として、外部装置を仕様に応じた所定の接続形態でプロジェクタ装置に接続し、さらに、接続形態等に応じてプロジェクタ装置及び外部装置等の各種設定を行う必要がある。
【０００５】
しかしながら、プロジェクタ装置と外部装置との接続やこれらに対する設定等が正しく行われているか否かの最終的な判断は、実際にスクリーン上に投写表示された画像を確認するまで行うことが困難であり、ユーザは、プロジェクタ装置の電源がヒートアップされるのを待って、最終的な判断を行わざるを得なかった。
【０００６】
また、複数の外部装置をプロジェクタ装置に接続してプレゼンテーション等を行う場合やプレゼンテータ等が途中で交代する場合等には、プロジェクタ装置に設定されたいわゆるＡＶミュート等の機能を用いてスクリーン上への画像の投写表示を禁止し、その間に、各種設定変更等を行うことが一般的であるが、このような場合においても、新たな設定等が正しく行われているか否かの最終的な判断は、実際にスクリーン上に投写表示された画像を確認するまで行うことが困難であった。
【０００７】
本発明は上記事情に鑑みてなされたもので、スクリーン上に投写表示される画像をユーザに事前に把握させることができるプロジェクタ装置を提供することを目的とする。
【課題を解決するための手段】
【０００８】
本発明のプロジェクタ装置は、光源から出射される光を変調してスクリーン上に所定の表示用画像を投写表示するライトバルブと、上記ライトバルブを通じた上記表示用画像の投写表示とは別に当該表示用画像を表示する表示手段とを備えたことを特徴とする。
【０００９】
このような構成によれば、ライトバルブを通じた表示用画像の投写表示が行われていないときにも、ユーザに表示用画像の内容を把握させることができる。
【００１０】
また、上記ライトバルブを通じた上記表示用画像の投写表示を禁止する投写禁止手段を有し、少なくとも上記投写禁止手段による上記表示用画像の投写表示が禁止されている間、上記表示手段は上記表示用画像を表示することを特徴とする。
【００１１】
このような構成によれば、不要な表示用画像を投写表示させることなく、表示手段に表示した表示用画像を用いて各種設定等を行うことができる。
【００１２】
また、上記投写禁止手段は、電源投入時に、上記ライトバルブを通じた上記表示用画像の投写表示を禁止するよう初期設定されていることを特徴とする。
【００１３】
このような構成によれば、電源投入後に光源がヒートアップされて表示用画像が不意に投写表示されることを防止できる。
【００１４】
また、上記投写禁止手段の初期設定を解除する初期設定解除スイッチ手段を有することを特徴とする。
【００１５】
このような構成によれば、操作性を向上することができ、また、ライトバルブを通じた表示用画像の投写表示を禁止するよう初期設定されていることをユーザに認識させることができる。
【発明を実施するための最良の形態】
【００１６】
以下、図面を参照して本発明の形態を説明する。図面は本発明の一形態に係わり、図１はプロジェクタ装置の概略構成を示す機能ブロック図、図２はプロジェクタ装置の外観の概略構成を示す斜視図、図３は表示制御ルーチンを示すフローチャート、図４は各表示画像の例を示す説明図である。
【００１７】
図１において、符号１はプロジェクタ装置を示し、このプロジェクタ装置１は、所定の画像（以下、表示用画像と称す）をスクリーン３０上に投写表示可能な投写表示機能部として、光源としての光源ランプユニット５と、光源ランプユニット５から出射される光を変調するライトバルブとしての液晶パネル６と、液晶パネル６で変調された光をスクリーン３０上に投写する投写光学系とを有する。さらに、プロジェクタ装置１は、例えば筐体１０の上面に、液晶パネル６を通じて投写表示すべき表示用画像と同一内容の画像を別途表示するための表示手段としての液晶モニタ８を有する（図２参照）。
【００１８】
また、プロジェクタ装置１は、当該プロジェクタ装置１の統括的な制御を行うコントローラ１５を有し、このコントローラ１５には、パーソナルコンピュータ等の各種外部装置３１（図２参照）との間でデータの授受を行うためのＩ／Ｏ部１６、プロジェクタ装置１に対する各種設定情報等をユーザ入力するための情報入力部１７、光源ランプユニット５を駆動制御するためのランプ駆動部１８等とともに、液晶パネル６及び液晶モニタ８を制御するための表示制御部１９が接続されている。
【００１９】
ここで、Ｉ／Ｏ部１６には、例えば、ＲＳ−２３２Ｃ、ＵＳＢ、イーサネット（Ｒ）等の種々の通信規格に適合する単数または複数の端子（何れも図示せず）が設けられている。そして、Ｉ／Ｏ部１６は、コントローラ１５からの指示に従って、接続された外部装置３１との間でデータの授受を行う。
【００２０】
情報入力部１７は、例えば、図２に示すように、筐体１０上面に配設された操作パネル２０と、付属のリモートコントローラ（リモコン）２１とを有して構成されている。これら操作パネル２０及びリモコン２１には、例えば、Ｉ／Ｏ部１６を通じて外部装置３１から供給される画像信号等の入力切換を行うための入力切換スイッチ２２、プロジェクタ装置１の各種設定のためのメニュー画像を液晶パネル６や液晶モニタ８を通じて表示させるためのメニュー画像表示スイッチ２３、表示されたメニュー画像上のメニューを選択するためのメニュー選択スイッチ２４、液晶パネル６を通じた表示用画像の投写表示を禁止（ＡＶミュート）するためのミュートスイッチ２５等がそれぞれ配設されている。そして、これら各スイッチ２２〜２５に対するユーザの操作（ユーザ入力）によって、コントローラ１５には各種操作信号が入力されるようになっている。
【００２１】
ランプ駆動部１８は、光源ランプユニット５に駆動電力を供給するための電源回路であり、具体的には、外部から供給された電力を変圧して光源ランプユニット５に供給する。このランプ駆動部１８は、コントローラ１５からの指示に従って光源ランプユニット５への電力供給量を制御し、これによりランプの出力輝度を調整する。
【００２２】
表示制御部１９は、外部装置３１からＩ／Ｏ部１６に供給される画像信号や、内蔵するＯＳＤ制御部１９ａに格納された各種画像信号等を、コントローラ１５からの指示に従って表示用画像信号として読み込む。そして、表示制御部１９は、読み込んだ表示用画像信号に従って液晶パネル６及び液晶モニタ８を制御することで、スクリーン３０上に所定の表示用画像を投写表示させるとともに、この表示用画像を液晶モニタ８に表示させる。ここで、ＯＳＤ制御部１９ａには、表示用画像信号として、例えば、メニュー画像表示スイッチ２３やメニュー選択スイッチ２４の操作時に所定のメニュー画像（例えば、図４（ｂ）参照）を表示させるための各種画像信号や、外部装置３１の接続やこの接続形態に応じた各種設定等が不適切な場合に所定のエラー画像（例えば、図４（ａ）参照）を表示させるための各種画像信号等が格納されている。
【００２３】
また、ＯＳＤ制御部１９ａには、上述の各種表示用画像信号の他に、例えば画像全体を黒色に表示ための黒色画像信号や所定のロゴ画像を表示するためのロゴ画像信号等がミュート用画像信号として格納されている。このミュート用画像信号は、ミュートスイッチ２５のユーザ操作によってＡＶミュートがＯＮされた際に、コントローラ１５からの指示に従って、表示用画像信号とともに表示制御部１９に読み込まれる。そして、このミュート用画像信号が読み込まれると、表示制御部１９は、ミュート用画像信号に従って液晶パネル６を制御するとともに、表示用画像信号に従って液晶モニタ８を制御する。これにより、液晶パネル６を通じた表示用画像の投写表示は禁止され、表示用画像は液晶モニタ８のみに表示される。すなわち、本形態において、表示制御部１９は、ＡＶミュートのＯＮ時に、ミュート用画像信号に従って液晶パネル６を制御することにより、スクリーン３０上への表示用画像の投写を禁止する投写禁止手段としての機能を実現する。
【００２４】
次に、コントローラ１５による表示制御部１９の制御について、図３に示す表示制御ルーチンのフローチャートに従って説明する。このルーチンは設定時間毎にコントローラ１５で繰り返し実行されるもので、ルーチンがスタートすると、コントローラ１５は、先ず、ステップＳ１０１において、現在、ＡＶミュートがＯＮされているか否かを調べる。そして、コントローラ１５は、ステップＳ１０１において、ＡＶミュートがＯＮされていると判断した場合にはステップＳ１０２に進み、一方、ＡＶミュートがＯＮされていない（すなわち、ＯＦＦされている）と判断した場合には、ステップＳ１０６に進む。
【００２５】
ステップＳ１０１からステップＳ１０２に進むと、コントローラ１５は、ユーザによってミュートスイッチ２５が操作されたか否かを調べ、ミュートスイッチ２５が操作されていないと判断した場合にはステップＳ１０３に進み、一方、ミュートスイッチ２５が操作されていると判断した場合には、ステップＳ１０５でＡＶミュートをＯＦＦに設定した後、ステップＳ１０７に進む。
【００２６】
また、ステップＳ１０１からステップＳ１０６に進むと、コントローラ１５は、ユーザによってミュートスイッチ２５が操作されたか否かを調べ、ミュートスイッチ２５が操作されていないと判断した場合にはステップＳ１０７に進み、一方、ミュートスイッチ２５は操作されていると判断した場合には、ステップＳ１０９でＡＶミュートをＯＮに設定した後、ステップＳ１０３に進む。
【００２７】
そして、ステップＳ１０２或いはステップＳ１０９からステップＳ１０３に進むと、コントローラ１５は、表示制御部１９に対して、ＯＳＤ制御部１９ａからのミュート用画像信号の読み込みを指示し、ミュート用画像信号に従った液晶パネル６の制御を実行させた後、ステップＳ１０４に進む。
【００２８】
そして、ステップＳ１０３からステップＳ１０４に進むと、コントローラ１５は、表示制御部１９に対して、外部装置３１或いはＯＳＤ制御部１９ａからの表示用画像信号の読み込みを指示し、表示用画像信号に従った液晶モニタ８の制御を実行させた後、ルーチンを抜ける。これにより、ＡＶミュートのＯＮ時には、液晶パネル６を通じた表示用画像の投写表示が禁止され、当該表示用画像は液晶モニタ８のみに表示される。
【００２９】
一方、ステップＳ１０５或いはステップＳ１０６からステップＳ１０７に進むと、コントローラ１５は、表示制御部１９に対して、外部装置３１或いはＯＳＤ制御部１９ａからの表示用画像信号の読み込みを指示し、表示用画像信号に従った液晶モニタ８の制御を実行させる。さらに、コントローラ１５は、ステップＳ１０８で、表示用画像信号に従った液晶モニタの制御を実行させた後、ルーチンを抜ける。これにより、ＡＶミュートのＯＦＦ時には、液晶パネル６を通じた表示用画像の投写表示が行われるとともに、液晶モニタ８への表示用画像の表示が行われる。
【００３０】
このような形態によれば、所定の表示用画像をスクリーン３０上に投写表示するための液晶パネル６に加え、表示用画像を別途表示する液晶モニタ８を設けたことにより、液晶パネル６を通じた表示用画像の投写表示が行われていないときにも、ユーザに表示用画像の内容を把握させることができる。
【００３１】
従って、例えば、電源が投入されてから光源ランプユニット５がヒートアップされるまでの間にも、ユーザは、表示用画像の投写表示を待つことなく、表示用画像の内容を確認することができ、プレゼンテーションの準備等を効率的に行うことができる。すなわち、外部装置３１の接続形態等が適切でない場合には、例えば図４（ａ）に示すように所定のエラー画像が液晶モニタ８に表示用画像として表示されるので、ユーザは、表示用画像の投写表示を待つことなく、外部装置３１の接続形態等を直接的に確認することができる。また、液晶モニタ８に表示用画像としてメニュー画像を表示すれば、ユーザは、表示用画像の投写表示を待つことなく、プロジェクタ装置１の各種設定を行うことができる。そして、このような各種準備の完了後に、ユーザは、例えば図４（ｃ）に示すように所望の表示用画像を液晶モニタ８上で確認した後、当該表示用画像をスクリーン３０上に投写表示させることができる。
【００３２】
同様に、プレゼンテーションの途中等においても、ＡＶミュートをＯＮすることで表示用画像の投写表示を禁止し、その間に、液晶モニタ８に表示された表示用画像を用いて各種設定変更等を行うことにより、不要な表示用画像を投写表示することなく各種設定変更等を行うことができる。
【００３３】
ここで、コントローラ１５は、プロジェクタ装置１の電源投入時にＡＶミュートをＯＮするよう、表示制御部１９に対する制御の初期値が設定されていることが好ましい。このように構成することにより、電源が投入されて光源ランプユニット５のヒートアップが完了した際に、表示用画像が不意に投写表示されることを防止できる。この場合、特に、ミュートスイッチ２５とは別に、初期設定でＯＮされたＡＶミュートを解除（ＯＦＦ）するための初期設定解除スイッチ手段として、例えばプレゼンテーション開始スイッチ２６（図２参照）を情報入力部１７に設けることも可能である。このように構成することにより、操作性を向上することができ、また、初期設定でＡＶミュートがＯＮされていることをユーザに認識させることができる。
【００３４】
なお、上述の形態においては、液晶モニタ８に表示用画像を常時表示させる場合の一例について説明したが、本発明はこれに限定されるものではなく、少なくとも、ＡＶミュートのＯＮ時に液晶モニタ８に表示用画像を表示させる構成であればよい。
【００３５】
また、上述の形態においては、ミュート用画像信号を用いるて液晶パネル６を制御することで表示用画像の投写表示を禁止する（ＡＶミュートを実現する）一例について説明したが、本発明はこれに限定されるものではなく、例えば、ＡＶミュートがＯＮされた場合等に、光源ランプユニット５の光路上に所定のシャッタ等を介在させることで表示用画像の投写表示を禁止させるものであってもよい。
【図面の簡単な説明】
【００３６】
【図１】プロジェクタ装置の概略構成を示す機能ブロック図
【図２】プロジェクタ装置の外観の概略構成を示す斜視図
【図３】表示制御ルーチンを示すフローチャート
【図４】各表示画像の例を示す説明図
【符号の説明】
【００３７】
１…プロジェクタ装置、５…光源ランプユニット（光源）、６…液晶パネル（ライトバルブ）、８…液晶モニタ（表示手段）、１９…表示制御部（投写禁止手段）、２６…プレゼンテーション開始スイッチ（初期設定解除スイッチ手段）、３０…スクリーン
【図１】
2005221638.tif 000003
【図２】
2005221638.tif 000004
【図３】
2005221638.tif 000005
【図４】
2005221638.tif 000006